(57)【要約】【課題】放射線画像撮影装置の大型化を招くことなく、当該放射線画像撮影装置の内部の熱を効果的に放出することができる。【解決手段】入射した放射線に応じた放射線画像を取得するとともに、内部に発熱体を有する放射線検出器と、前記発熱体と接触するように設けられ、電力供給部を着脱自在に保持し、かつ熱伝導性を有する保持部１１を備えた。【選択図】図２
2013013513.tif 000002
【特許請求の範囲】
【請求項１】
入射した放射線に応じた放射線画像を取得するとともに、内部に発熱体を有する放射線検出器と、
前記放射線検出器の発熱体と接触するように設けられ、電力供給部を着脱自在に保持し、かつ熱伝導性を有する保持部と、
を備えた放射線画像撮影装置。
【請求項２】
前記発熱体は、前記放射線検出器の電気回路であり、
前記保持部は、前記電気回路と熱結合されている
請求項１記載の放射線画像撮影装置。
【請求項３】
前記電力供給部に、特定の温度を記憶保持する蓄熱材料及び冷却器の少なくとも一方を設けることにより冷却機能を付加した
請求項１または２記載の放射線画像撮影装置。
【請求項４】
前記電力供給部は、内部にバッテリを収納したバッテリユニット、または電源ケーブルが設けられた電源ケーブルを介して外部から電力を供給する給電ユニットである
請求項１乃至３のいずれか１項記載の放射線画像撮影装置。
【請求項５】
前記保持部は、前記バッテリユニットまたは給電ユニットが保持された際に、前記保持部と当該バッテリユニットまたは給電ユニットとの間に位置するように放熱部が設けられた
請求項４記載の放射線画像撮影装置。
【請求項６】
前記保持部に前記給電ユニットが接続されていることを検出する検出手段と、
前記検出手段により接続されていることが検出された場合に、連続撮影を許可し、前記検出手段により接続されていることが検出されない場合に、連続撮影を禁止する可否決定手段
を更に備えた請求項１乃至５のいずれか１項記載の放射線画像撮影装置。
【請求項７】
入射した放射線に応じた放射線画像を取得するとともに、内部に発熱体を有する放射線検出器と、前記放射線検出器の発熱体と接触するように設けられ、電力供給部を着脱自在に保持し、かつ熱伝導性を有する保持部と、を備えた放射線画像撮影装置の当該保持部に保持される被保持部と、
前記被保持部が前記保持部に保持されている場合に、前記放射線検出器に電力を供給する電力供給部と、
前記被保持部が前記保持部に保持されている場合に、前記放射線画像撮影装置を冷却する冷却部と、
を備えたバッテリユニット。
【請求項８】
前記冷却部として、特定の温度を記憶保持する蓄熱材料及び冷却器の少なくとも一方を備えた
請求項７記載のバッテリユニット。
【請求項９】
入射した放射線に応じた放射線画像を取得するとともに、内部に発熱体を有する放射線検出器と、前記放射線検出器の発熱体と接触するように設けられ、電力供給部を着脱自在に保持し、かつ熱伝導性を有する保持部と、を備えた放射線画像撮影装置の当該保持部に保持される被保持部と、
前記被保持部が前記保持部に保持されている場合に、前記放射線検出器に電力を供給する電源ケーブルと、
前記被保持部が前記保持部に保持されている場合に、前記放射線画像撮影装置を冷却する冷却部と、
を備えた給電ユニット。
【請求項１０】
前記冷却部として、特定の温度を記憶保持する蓄熱材料及び冷却器の少なくとも一方を備えた
請求項９記載の給電ユニット。
【請求項１１】
請求項１乃至６のいずれか１項記載の放射線画像撮影装置と、
請求項７または８記載のバッテリユニットと、
を有する放射線画像撮影システム。
【請求項１２】
請求項１乃至６のいずれか１項記載の放射線画像撮影装置と、
請求項９または１０記載の給電ユニットと、
を有する放射線画像撮影システム。
【請求項１３】
コンピュータを、
入射した放射線に応じた放射線画像を取得するとともに、内部に発熱体を有する放射線検出器と、前記放射線検出器の発熱体と接触するように設けられ、電力供給部を着脱自在に保持し、かつ熱伝導性を有する保持部と、を備えた放射線画像撮影装置の当該保持部に保持された状態で、前記放射線検出器に電力を供給する電源ケーブルを備えた給電ユニットが前記保持部に保持されていることを検出する検出手段と、
前記検出手段により接続されていることが検出された場合に、連続撮影を許可し、前記検出手段により接続されていることが検出されない場合に、連続撮影を禁止する可否決定手段と、
として機能させるためのプログラム。
【発明の詳細な説明】
【技術分野】
【０００１】
本発明は、放射線画像撮影装置、バッテリユニット、給電ユニット、放射線画像撮影システム及びプログラムに係り、特に、バッテリユニットを着脱自在に保持する保持部を備えた放射線画像撮影装置、当該放射線画像撮影装置の保持部に着脱自在なバッテリユニットと給電ユニット、放射線画像撮影システム及び当該放射線画像撮影装置において実行されるプログラムに関する。
【背景技術】
【０００２】
従来、可搬型の放射線画像撮影装置は、汚染を防止する観点から密閉型であることが望ましい。この場合、放射線画像撮影装置が有する放射線検出器で発せられる熱の熱放出は、静止画撮影においては筐体内部への熱放出で間に合うが、動画撮影においては発熱量が大きいことから筐体内部への熱放出のみでは不十分となる懸念があった。そこで、可搬型の放射線画像撮影装置において、放熱のための様々な工夫がされてきた。
【０００３】
例えば、特許文献１には、放射線検出器を保持する保持部と、保持部と放射線検出器の着脱を可能とする接続機構とを有する放射線画像撮影装置において、接続機構は、放射線検出器と保持部との機械的な接続を行うとともに、放射線検出器と保持部との熱の伝達を行う技術が記載されている。特許文献１記載の技術では、放射線画像撮影装置における放射線検出器の電気回路を架台と熱結合させることにより、放射線検出器の発熱体が発する熱を放熱することができる。
【０００４】
また、特許文献２には、放射線検出器を内包する筐体と、筐体内部の温度上昇を抑制する冷却ユニットとを有する放射線画像撮影装置において、冷却ユニットは筐体外装に対して着脱可能に構成する技術が開示されている。特許文献２記載の技術では、放射線画像撮影装置に冷却ユニットを装着することで、多くの放熱が必要とされる状況が生じた場合でも、筐体の放熱ができる。
【先行技術文献】
【特許文献】
【０００５】
【特許文献１】特開２００７−２２２６０４号公報
【特許文献２】特開２００５−１８１９２２号公報
【発明の概要】
【発明が解決しようとする課題】
【０００６】
放射線画像撮影装置における放射線検出器の電気回路を架台と熱結合させる方法では、放射線画像撮影装置の設置位置によっては、放射線検出器によって発せられる熱の放熱を行うために架台と必ずしも熱結合できるとは限らないという問題があった。また、装置が大掛かりになり、小回りがきくという可搬型の放射線画像撮影装置の最大のメリットが低下するおそれもあった。
【０００７】
一方、放射線画像撮影装置に冷却ユニットを装着する方法では、冷却ユニットの交換が必ずしも容易とは言えず、利便性の観点で可搬型の放射線画像撮影装置のメリットが低下するおそれがあった。
【０００８】
本発明は上記課題に鑑みてなされたものであり、放射線画像撮影装置の大型化を招くことなく、当該放射線画像撮影装置の内部の熱を効果的に放出することができる放射線画像撮影装置、バッテリユニット、給電ユニット、放射線画像撮影システム及びプログラムを提供することを目的とする。
【課題を解決するための手段】
【０００９】
上記目的を達成するために、本発明に係る放射線画像撮影装置は、請求項１に記載したように、入射した放射線に応じた放射線画像を取得するとともに、内部に発熱体を有する放射線検出器と、前記放射線検出器の発熱体と接触するように設けられ、電力供給部を着脱自在に保持し、かつ熱伝導性を有する保持部と、を備えている。 
【００１０】
請求項１に記載の放射線画像撮影装置によれば、発熱体を有する放射線検出器により、入射した放射線に応じた放射線画像が取得される。ここで、本発明では、バッテリユニットが着脱自在に保持される熱伝導性を有する保持部が、前記放射線検出器の発熱体と接触するように設けられた。
【００１１】
これにより、保持部に保持された電力供給部が放射線検出器の発熱体から放出された熱を吸収することができる結果、放射線画像撮影装置の大型化を招くことなく、当該放射線画像撮影装置の内部の熱を効果的に放出することができる、という効果を奏する。
【００１２】
また、本発明に係る放射線画像撮影装置において、請求項２に記載したように、前記発熱体は、前記放射線検出器の電気回路であり、前記保持部は、前記電気回路と熱結合されているようにしても良い。これにより、保持部に保持されたバッテリユニットが放射線検出器の電気回路と熱結合するため、内部の熱を効果的に放出することができる、という効果を奏する。
【００１３】
また、本発明に係る放射線画像撮影装置において、請求項３に記載したように前記電力供給部に、特定の温度を記憶保持する蓄熱材料及び冷却器の少なくとも一方を設けることにより冷却機能を付加するようにしても良い。これにより、保持部に保持されたバッテリユニットの冷却機能が放射線検出器の発熱体から放出された熱を吸収するため、内部の熱を効果的に放出することができる、という効果を奏する。
【００１４】
また、本発明に係る放射線画像撮影装置において、請求項４に記載したように、前記電力供給部は、内部にバッテリを収納したバッテリユニット、または電源ケーブルが設けられた電源ケーブルを介して外部から電力を供給する給電ユニットであるようにしても良い。これにより、保持部に保持されたバッテリユニットまたは給電ユニットにより、内部の熱を効果的に放出することができる、という効果を奏する。
【００１５】
また、本発明に係る放射線画像撮影装置において、請求項５に記載したように、前記保持部は、前記バッテリユニットまたは給電ユニットが保持された際に、前記保持部と当該バッテリユニットまたは給電ユニットとの間に位置するように放熱部が設けられるようにしても良い。これにより、保持部と、保持部に保持されたバッテリユニットまたは給電ユニットとの間に位置する放熱部が放射線検出器の発熱体から放出された熱を放熱するため、内部の熱を効果的に放出することができる、という効果を奏する。
【００１６】
また、本発明に係る放射線画像撮影装置において、請求項６に記載したように、前記保持部に前記給電ユニットが接続されていることを検出する検出手段と、前記検出手段により接続されていることが検出された場合に、連続撮影を許可し、前記検出手段により接続されていることが検出されない場合に、連続撮影を禁止する可否決定手段を更に備えるようにしても良い。これにより、電源ケーブルが接続されていない場合に連続撮影を禁止して、内部の熱を効果的に放出することができる、という効果を奏する。
【００１７】
一方、上記目的を達成するために、請求項７に記載のバッテリユニットは、入射した放射線に応じた放射線画像を取得するとともに、内部に発熱体を有する放射線検出器と、前記放射線検出器の発熱体と接触するように設けられ、電力供給部を着脱自在に保持し、かつ熱伝導性を有する保持部と、を備えた放射線画像撮影装置の当該保持部に保持される被保持部と、前記被保持部が前記保持部に保持されている場合に、前記放射線検出器に電力を供給する電力供給部と、前記被保持部が前記保持部に保持されている場合に、前記放射線画像撮影装置を冷却する冷却部と、を備えている。
【００１８】
従って、請求項７に記載のバッテリユニットによれば、請求項１に記載の発明と同様に作用するので、請求項１に記載の発明と同様に、保持部に保持された電力供給部が放射線検出器の発熱体から放出された熱を放熱することができる結果、装置の大型化を招くことなく内部の熱を効果的に放出することができる、という効果を奏する。
【００１９】
また、本発明に係るバッテリユニットにおいて、請求項８に記載したように、前記冷却部として、特定の温度を記憶保持する蓄熱材料及び冷却器の少なくとも一方を備えるようにしても良い。これにより、保持部に保持された電力供給部の蓄熱材料及び冷却器の少なくとも一方が放射線検出器の発熱体から放出された熱を吸収するため、内部の熱を効果的に放出することができる、という効果を奏する
【００２０】
一方、上記目的を達成するために、請求項９に記載の給電ユニットは、入射した放射線に応じた放射線画像を取得するとともに、内部に発熱体を有する放射線検出器と、前記放射線検出器の発熱体と接触するように設けられ、電力供給部を着脱自在に保持し、かつ熱伝導性を有する保持部と、を備えた放射線画像撮影装置の当該保持部に保持される被保持部と、前記被保持部が前記保持部に保持されている場合に、前記放射線検出器に電力を供給する電源ケーブルと、前記被保持部が前記保持部に保持されている場合に、前記放射線画像撮影装置を冷却する冷却部と、を備えている。
【００２１】
従って、請求項９に記載の給電ユニットによれば、請求項１に記載の発明と同様に作用するので、請求項１に記載の発明と同様に、保持部に保持された電力供給部が放射線検出器の発熱体から放出された熱を放熱することができる結果、装置の大型化を招くことなく内部の熱を効果的に放出することができる、という効果を奏する。
【００２２】
また、本発明に係る給電ユニットにおいて、請求項１０に記載したように、前記冷却部として、特定の温度を記憶保持する蓄熱材料及び冷却器の少なくとも一方を備えるようにしても良い。これにより、保持部に保持された電力供給源の蓄熱材料及び冷却器の少なくとも一方が放射線検出器の発熱体から放出された熱を吸収するため、内部の熱を効果的に放出することができる、という効果を奏する
【００２３】
一方、上記目的を達成するために、請求項１１に記載の放射線画像撮影システムは、請求項１乃至６のいずれか１項記載の放射線画像撮影装置と、請求項７または８記載のバッテリユニットと、を有している。
【００２４】
従って、請求項１１に記載の放射線画像撮影システムによれば、請求項１に記載の発明と同様に作用するので、請求項１に記載の発明と同様に、保持部に保持された電力供給部が放射線検出器の発熱体から放出された熱を放熱することができる結果、装置の大型化を招くことなく内部の熱を効果的に放出することができる、という効果を奏する。
【００２５】
また、本発明に係る放射線画像撮影システムにおいて、請求項１２に記載したように、請求項１乃至６のいずれか１項記載の放射線画像撮影装置と、請求項９または１０記載の給電ユニットと、を有しているようにしても良い。これにより、保持部に保持された電力供給部が放射線検出器の発熱体から放出された熱を放熱することができる結果、装置の大型化を招くことなく内部の熱を効果的に放出することができる、という効果を奏する。
【００２６】
一方、上記目的を達成するために、請求項１３に記載のプログラムは、コンピュータを、入射した放射線に応じた放射線画像を取得するとともに、内部に発熱体を有する放射線検出器と、前記放射線検出器の発熱体と接触するように設けられ、電力供給部を着脱自在に保持し、かつ熱伝導性を有する保持部と、を備えた放射線画像撮影装置の当該保持部に保持された状態で、前記放射線検出器に電力を供給する電源ケーブルを備えた給電ユニットが前記保持部に保持されていることを検出する検出手段と、前記検出手段により接続されていることが検出された場合に、連続撮影を許可し、前記検出手段により接続されていることが検出されない場合に、連続撮影を禁止する可否決定手段と、として機能させるためのプログラムである。
【００２７】
従って、請求項１３に記載のプログラムによれば、コンピュータを請求項１に記載の発明と同様に作用させることができるので、請求項１に記載の発明と同様に、保持部に保持された給電ユニットが放射線検出器の発熱体から放出された熱を放熱することができる結果、装置の大型化を招くことなく内部の熱を効果的に放出することができる、という効果を奏する。
【発明の効果】
【００２８】
本発明によれば、放射線画像撮影装置の大型化を招くことなく、当該放射線画像撮影装置の内部の熱を効果的に放出することができる、という効果を奏する。
【図面の簡単な説明】
【００２９】
【図１】実施の形態に係る放射線画像撮影システムの構成を示すブロック図である。
【図２】第１の実施の形態に係る電子カセッテ及びバッテリユニットの構成を示す概略斜視図である。
【図３】第１の実施の形態に係る電子カセッテの図２のＹ方向における側面断面図である。
【図４】第１の実施の形態に係る電子カセッテの概略上面図である。
【図５】実施の形態に係る電子カセッテ及びバッテリユニットの電気系の要部構成と、バッテリユニットの電子カセッテへの装着方法を示すブロック図（一部回路図）である。
【図６】第１の実施の形態に係る電子カセッテの別例の概略上面図である。
【図７】第２の実施の形態に係る電子カセッテ及びバッテリユニットの構成を示す概略斜視図である。
【図８】（Ａ）は、第３の実施の形態に係る電子カセッテ及び給電ユニットの構成を示す概略斜視図であり、給電ユニットに電源ケーブルが接続された状態を示す図であり、（Ｂ）は、第３の実施の形態に係る電子カセッテ及び給電ユニットの構成を示す概略斜視図であり、給電ユニットに電源ケーブルが接続されていない状態を示す図である。
【図９】（Ａ）は、第４の実施の形態に係る電子カセッテ及び給電ユニットの構成を示す概略斜視図であり、（Ｂ）は、第４の実施の形態に係る電子カセッテ及び給電ユニットにおける冷却機構を説明するための概略側面図である。
【図１０】第５の実施の形態に係る電子カセッテの概略上面図である。
【図１１】第５の実施の形態に係る電子カセッテ及び給電ユニットの構成を示す概略斜視図である。
【図１２】第６の実施の形態に係る電子カセッテ及びバッテリユニットの構成を示す概略斜視図である。
【図１３】第６の実施の形態に係る電子カセッテの概略上面図である。
【図１４】第７の実施の形態に係る電子カセッテ及びバッテリユニットの構成を示す概略斜視図である。
【図１５】第８の実施の形態に係る連続撮影可否制御処理プログラムの処理の流れを示すフローチャートである。
【図１６】第９の実施の形態に係る放射線画像撮影システムの構成を示すブロック図である。
【発明を実施するための形態】
【００３０】
以下、図面を参照して、本発明を実施するための形態について詳細に説明する。なお、ここでは、本発明を、可搬型の放射線画像撮影装置（以下、「電子カセッテ」という。）を用いて放射線画像の撮影を行う放射線画像撮影システムに適用した場合の形態例について説明する。
【００３１】
〔第１の実施の形態〕
図１は、第１の実施の形態に係る放射線画像撮影システム１の概略構成図である。
【００３２】
図１に示すように、第１の実施の形態に係る放射線画像撮影システム１は、放射線（本実施の形態では、Ｘ線）画像を撮影するための撮影室（以下、「Ｘ線室」という。）に設置されており、撮影制御装置（以下、「コンソール」という。）２、放射線発生装置３、および電子カセッテ４が備えられている。
【００３３】
コンソール２は、通信ケーブル５を介して放射線発生装置３と接続されている。放射線発生装置３が、図示しない曝射スイッチの信号に基づき放射線Ｘを寝台６に載置された被写体Ｈに放射線Ｘを曝射する際、コンソール２は、放射線発生装置３の曝射同期信号を取得して曝射のタイミングを取得する。この際、コンソール２は、曝射同期信号を放射線発生装置３から取得しても、上記縛者スイッチの状態を監視しても良い。また、コンソール２は、曝射のタイミングに合わせて電子カセッテ４を制御し、撮影データを取得する。
【００３４】
電子カセッテ４は、入射した放射線Ｘから放射線画像を示す画像データを生成する。生成された画像データは、無線通信によりコンソール２に送信される。コンソール２は、電子カセッテ４と無線通信が可能に構成されていて、予め定められた無線通信方式で通信を行って、制御信号を伝送することにより電子カセッテ４に対して様々な制御を行う。
【００３５】
寝台６は、電子カセッテ４が内部に保持されるように凹状に形成されたカセッテ保持部６Ａを備えていて、カセッテ保持部６Ａに電子カセッテ４が保持された状態で放射線画像の撮影が行われる。
【００３６】
図２は、本実施の形態に係る電子カセッテ４及びバッテリユニット７の構成を示す概略斜視図である。
【００３７】
図２に示すように、本実施の形態に係る電子カセッテ４は、筐体１０を備えていて、筐体１０の内部に放射線検出器（後述する放射線検出器１３）等が収納されている。また、筐体１０の側面１０Ａには、内部にバッテリユニット７を保持するために凹状に形成されたバッテリ保持部１１が設けられている。バッテリ保持部１１は、熱伝導性に優れた材料で形成された熱伝導部１１Ａを備えていて、熱伝導部１１Ａを介してバッテリユニット７と電子カセッテ４の発熱体とが接触する。熱伝導部１１Ａを形成する材料は、例えば、銅、金、銀、アルミニウム、マグネシウム合金等である。さらに、バッテリ保持部１１の内表面には、バッテリユニット７を接続するための接続端子を有する接続部１２が設けられている。
【００３８】
本実施の形態では、バッテリユニット７は、電力供給電源８を備えるとともに電子カセッテ４に着脱自在に構成され、電力供給電源８から電子カセッテ４に電力を供給するユニットである。バッテリユニット７は、バッテリ保持部１１の内部形状とほぼ同形状に形成されバッテリ保持部１１の内部に収納可能な筐体７Ａを備えていて、筐体７Ａの内部に電子カセッテ４に電力を供給するための電力供給電源８等が収納されている。また、筐体７Ａの側面７Ｂには、電子カセッテ４の接続部１２を接続するための接続端子を有する接続部９が設けられている。バッテリユニット７がバッテリ保持部１１に保持された状態において、バッテリユニット７の接続部９が電子カセッテ４の接続部１２に接続されることで、各々の接続部９、１２を介してバッテリユニット７から電子カセッテ４に対して電力が供給される。
【００３９】
図３は、本実施の形態に係る電子カセッテ４の図２のＹ−Ｙ切断線による側面断面図である。また、図４は、本実施の形態に係る電子カセッテ４の内部の概略上面図である。なお、図４では、便宜上、走査制御基板２３と信号処理基板２４を放射線検出器１３の側方に図示しているが、実際には図３に示すように、放射線検出器１３の裏面に走査制御基板２３と信号処理基板２４が設けられている。
【００４０】
図３及び図４に示すように、電子カセッテ４は、筐体１０の内部に放射線検出器１３を搭載するための基板１３Ａが収納されていて、当該基板１３Ａの表面に放射線検出器１３が設けられている。また、放射線検出器１３には、光を受けて電荷を蓄積するセンサ部１４と、センサ部１４に蓄積された電荷を読み出すためのＴＦＴ（Thin Film Transistor）スイッチ１５と、を含んで構成される画素１６が２次元状に多数設けられている。
【００４１】
放射線検出器１３には、前述したＴＦＴスイッチ１５をオン／オフするための複数の走査配線１７と、センサ部１４に蓄積された電荷を読み出すための複数の信号配線１８と、が互いに交差して設けられている。
【００４２】
放射線検出器１３では、照射された放射線Ｘは、ＧＯＳ又はＣｓｌ（Ｔｌ）等からなるシンチレータ１９で光に変換される。シンチレータ１９は、発生した光の外部への漏れ出しを防止するため遮光体２０を有している。
【００４３】
また、放射線検出器１３の走査配線１７の一端側には、結線用のコネクタ２１が複数個並んで設けられ、信号配線１８の一端側には、コネクタ２２が複数個並んで設けられている。そして、各走査配線１７はコネクタ２１に接続され、各信号配線１８はコネクタ２２に接続されている。
【００４４】
さらに、本実施の形態では、各走査配線１７に流れる電気信号を制御するスキャン信号制御回路２３Ａが搭載された走査制御基板２３と、各信号配線１８に流れる電気信号に対する信号処理を行う信号検出回路２４Ａが搭載された信号処理基板２４と、を備えている。走査制御基板２３及び信号処理基板２４の基板はそれぞれ絶縁体で形成されている。
【００４５】
スキャン信号制御回路２３Ａには、コネクタ２５が設けられており、このコネクタ２５には、フレキシブルケーブル２６の一端が電気的に接続されている。さらに、このフレキシブルケーブル２６の他端は、コネクタ２１に接続されており、スキャン信号制御回路２３Ａは各走査配線１７にＴＦＴスイッチ１５をオン／オフするための制御信号を出力するようになっている。
【００４６】
一方、信号検出回路２４Ａには、複数個のコネクタ２７が設けられており、このコネクタ２７には、フレキシブルケーブル２８の一端が電気的に接続されている。このフレキシブルケーブル２８の他端は、コネクタ２２に接続されており、信号配線１８毎に、入力される電気信号を増幅する増幅回路を内蔵している。この構成により、信号検出回路２４Ａは、各信号配線１８より入力される電気信号を増幅回路により増幅して検出することで、画像を構成する各画素１６の情報として、各センサ部１４に蓄積された電荷量を検出するようになっている。
【００４７】
図５は、本実施の形態に係る電子カセッテ４及びバッテリユニット７の電気系の要部構成と、バッテリユニット７の電子カセッテ４に対する装着方法を示す図である。
【００４８】
図５に示すように、放射線検出器１３は、スキャン信号制御回路２３Ａが搭載された走査制御基板２３にゲート線ドライバ３０が配置され、信号検出回路２４Ａが搭載された信号処理基板２４に信号処理部３１が配置されている。各々の走査配線１７はゲート線ドライバ３０に接続され、各々の信号配線１８は信号処理部３１に接続されている。
【００４９】
また、電子カセッテ４の筐体１０の内部には、画像メモリ３２と、カセッテ制御部３３と、無線通信部３４と、が設けられている。
【００５０】
基板１３ＡのＴＦＴスイッチ１５は、ゲート線ドライバ３０から走査配線１７を介して供給される信号により行単位で順にオンされ、オン状態とされたＴＦＴスイッチ１５によって読み出された電荷は、電気信号として信号配線１８を伝送されて信号処理部３１に入力される。これにより、電荷は行単位で順に読み出され、二次元状の放射線画像が取得可能となる。
【００５１】
図示は省略するが、信号処理部３１は、信号配線１８毎に、入力される電気信号を増幅する増幅回路およびサンプルホールド回路を備えており、各々の信号配線１８を伝送された電気信号は増幅回路で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電気信号はマルチプレクサに順に（シリアルに）入力され、Ａ／Ｄ変換器によってデジタルの画像データへ変換される。
【００５２】
信号処理部３１には画像メモリ３２が接続されており、信号処理部３１のＡ／Ｄ変換器から出力された画像データは画像メモリ３２に順に記憶される。画像メモリ３２は所定枚分の画像データを記憶可能な記憶容量を有しており、放射線画像の撮影が行われる毎に、撮影によって得られた画像データが画像メモリ３２に順次記憶される。
【００５３】
画像メモリ３２はカセッテ制御部３３と接続されている。カセッテ制御部３３はマイクロコンピュータを含んで構成され、ＣＰＵ（中央処理装置）３３Ａと、記録媒体としてのＲＯＭ（Read Only Memory）及びＲＡＭ（Random Access Memory）を含むメモリ３３Ｂと、フラッシュメモリ等からなる不揮発性の記憶部３３Ｃとを備えており、電子カセッテ４全体の動作を総括的に制御する。
【００５４】
さらに、カセッテ制御部３３には無線通信部３４接続されている。無線通信部３４は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間での各種情報の伝送を制御する。カセッテ制御部３３は、無線通信部３４を介して、コンソール２などの外部装置と無線通信が可能とされており、コンソール２等との間で各種情報の送受信が可能とされている。
【００５５】
電子カセッテ４は、接続部１２にバッテリユニット７等の外部ユニットが接続されたことを検出する検出部３５と、検出部３５による検出結果に応じて連続撮影（本実施の形態では動画撮影）の許可／禁止を制御する可否決定部３６を備えている。検出部３５は、所定時間毎に接続部１２の接続状態を監視し、接続状態を示す信号を生成して可否決定部３６に送信する。可否決定部３６は、検出部３５から受信した信号に基づいて連続撮影の許可／禁止を決定して、連続撮影を許可するか禁止するかを示す信号を生成してカセッテ制御部３３に送信する。本実施の形態では、検出部３５及び可否決定部３６はＣＰＵ３３Ａにより実行されるソフトウェアで実現されているが、これに限定されず、ハードウェアにより実現されていても良い。
【００５６】
なお、電子カセッテ４の各種回路や各種素子（ゲート線ドライバ３０、信号処理部３１、画像メモリ３２、カセッテ制御部３３、無線通信部３４等）は、接続部１２を介して供給された電力によって作動する。
【００５７】
第１の実施の形態に係る電子カセッテ４は、電子カセッテの必須要件である密閉性を確保する一方で、放射線検出器１３の有する電気回路（スキャン信号制御回路２３Ａや信号検出回路２４Ａ等）が発する熱を放熱する放熱機構を備えている。
【００５８】
すなわち、第１の実施の形態に係る電子カセッテ４は、図４に示すように筐体１０の外周部に着脱可能にバッテリユニット７を保持するバッテリ保持部１１が設けられているが、当該バッテリ保持部１１の熱伝導部１１Ａが、放射線検出器１３が有する電気回路（具体的には当該電気回路を搭載した信号処理基板２４等）と接触しており、これにより、バッテリユニット７と電気回路とをバッテリ保持部１１を介して熱結合させて電気回路からバッテリユニット７に熱を吸収させることで、電子カセッテ４の放熱機構を実現している。これにより、筐体１０の内部の放熱を効果的に行うことができる。
【００５９】
なお、本実施の形態では、バッテリ保持部１１が熱伝導部１１Ａを有し、走査制御基板２３及び信号処理基板２４が絶縁体で覆われているが、これに限定されず、バッテリ保持部１１が絶縁体で形成されている、または覆われているとともに熱伝導部１１Ａを備えておらず、走査制御基板２３及び信号処理基板２４が熱伝導性が高い物質で形成されていても良い。
【００６０】
また、本実施の形態では、無線通信により電子カセッテ４からコンソール２に画像データを送信する例について説明したが、これに限定されず、電子カセッテ４とコンソール２とをケーブルで接続して有線通信により画像データを送信するようにしても良く、電子カセッテ４をコンソール２にセットしてコンソール２が画像データを読み取るようにしても良い。
【００６１】
図６は、本実施の形態に係る電子カセッテ４において走査制御基板２３と信号処理基板２４とが一体的に形成された場合の概略上面図である。
【００６２】
図６に示すように、バッテリ保持部１１が放射線検出器１３の電気回路から熱を吸収する効果を上げるために、以下に記述するように、走査制御基板２３と信号処理基板２４とが一体的に形成されていても良い。なお、電子カセッテ４において、当該基板４０上に伝熱性に優れた金属膜が設けられていれば、バッテリ保持部１１がより効果的に熱を吸収することができる。
【００６３】
〔第２実施形態〕
第２の実施の形態として、電力供給電源４４に加えて、吸熱材であるサーモメモリ（登録商標）４５を備えたバッテリユニット４１について説明する。サーモメモリ４５は、物質の相変化エネルギ（融解熱、凝固熱）を吸収する材料で形成されており、電子機器の冷却材として使用される。サーモメモリ４５として、熱容量が大きい金属を用いても良い。
【００６４】
図７は、第２の実施の形態に係る電子カセッテ４及びバッテリユニット４１の概略斜視図である。
【００６５】
図７に示すように、バッテリユニット４１は、筐体４２を備えていて、筐体４２の内部に電源供給電源４４やサーモメモリ４５等が収納されている。電力供給電源４４及びサーモメモリ４５は、各々細長形状に形成されており、バッテリユニット４１をバッテリ保持部１１に保持した際に、サーモメモリ４５は電子カセッテ４の接続部１２側に位置するように、並列に配列されている。
【００６６】
また、筐体４２の側面４２Ａには、電子カセッテ４の接続部１２に接続される接続端子を有する接続部４３が設けられている。バッテリユニット４１がバッテリ保持部１１に保持された状態において、バッテリユニット４１の接続部４３が電子カセッテ４の接続部１２に接続されることで、各々の接続部１２、４３を介してバッテリユニット４１から電子カセッテ４に対して電力が供給される。
【００６７】
第２の実施の形態によると、バッテリユニット４１をバッテリ保持部１１に保持した際に、サーモメモリ４５が電子カセッテ４の発熱体である放射線検出器１３の電気回路が発する熱を吸収することで、筐体１０の内部の放熱を効果的に行うことができる。
【００６８】
なお、第２の実施の形態に係るバッテリユニット４１において、サーモメモリ４５を備える代わりに排熱部であるファンを備えるようにしても良い。この場合には、サーモメモリ４５が配置されるスペースを有効に利用して、ファンが配置されると良い。これにより、ファンが電子カセッテ４の発熱体である放射線検出器１３の電気回路を冷却することで、筐体１０の内部の放熱を効果的に行うことができる。
【００６９】
または、第２の実施の形態に係るバッテリユニット４１において、サーモメモリ４５を備える代わりにペルチェ素子を備えるようにしても良い。この場合には、サーモメモリ４５が配置されるスペースを有効に利用して、ペルチェ素子が配置されると良い。これにより、ペルチェ素子が電子カセッテ４の発熱体である放射線検出器１３の電気回路を冷却することで、筐体１０の内部の放熱を効果的に行うことができる。
【００７０】
〔第３の実施の形態〕
第３の実施の形態として、バッテリ保持部１１に、バッテリユニット４１の代わりに給電ユニット４７が保持される電子カセッテ４について説明する。第３の実施の形態では、電力供給電源４４が保持されるスペースに他の部品、例えば上述したようなサーモメモリ５０が設けられることにより電子カセッテ４に新たな機能（例えば冷却機能）を付加することができる。なお、本実施の形態では、給電ユニットは、電源ケーブルを備えるとともに電子カセッテに着脱自在に構成され、当該電源ケーブルから電子カセッテに電力を供給するユニットである。
【００７１】
図８Ａ及び図８Ｂは、第３の実施の形態に係る電子カセッテ４及び給電ユニット４７の概略斜視図であり、図８Ａは、給電ユニット４７に電源ケーブル５１が接続された状態を示す図であり、図８Ｂは、給電ユニット４７に電源ケーブル５１が接続されていない状態を示す図である。
【００７２】
図８Ａ及び図８Ｂに示すように、第３の実施の形態に係る電子カセッテ４の給電ユニット４７は、筐体４８を備えていて、筐体４８の内部にサーモメモリ５０、電源ケーブル５１のプラグ５１Ａや配線等が収納されている。給電ユニット４７は内部に電力供給電源を備えておらず、筐体４８の内部の空間を有効に利用できるため、サーモメモリ５０は、バッテリユニット４１とほぼ同形状で形成することができる。
【００７３】
また、筐体４８の側面４８Ａには、電子カセッテ４の接続部１２に接続される接続端子を有する接続部４９が設けられている。給電ユニット４７がバッテリ保持部１１に保持された状態において、給電ユニット４７の接続部４９が電子カセッテ４の接続部１２に接続されることで、各々の接続部１２、４９を介して給電ユニット４７から電子カセッテ４に対して電力が供給される。
【００７４】
第３の実施の形態によると、電力供給電源４４を備える代わりに、電力供給電源４４のスペースを有効に利用してサーモメモリ５０を付加することで、サーモメモリ５０の大きさを電力供給電源４４と同サイズに形成することにより給電ユニット４７（すなわち電子カセッテ４）の大型化を招くことなく、サーモメモリ５０が電子カセッテ４の発熱体である放射線検出器１３の電気回路が発する熱を吸収することができる。これにより、筐体１０の内部の放熱を効率的に行うことができる。
【００７５】
なお、第３の実施の形態に係る給電ユニット４７において、サーモメモリ５０を備える代わりに排熱部であるファンを備えるようにしても良い。この場合には、サーモメモリ５０が配置されるスペースを有効に利用して、ファンが配置されると良い。これにより、ファンが電子カセッテ４の発熱体である放射線検出器１３の電気回路を冷却することで、筐体１０の内部の放熱を効果的に行うことができる。
【００７６】
または、第３の実施の形態に係る給電ユニット４１において、サーモメモリ５０を備える代わりにペルチェ素子を備えるようにしても良い。この場合には、サーモメモリ５０が配置されるスペースを有効に利用して、ペルチェ素子が配置されると良い。これにより、ペルチェ素子が電子カセッテ４の発熱体である放射線検出器１３の電気回路を冷却することで、筐体１０の内部の放熱を効果的に行うことができる。
【００７７】
〔第４の実施の形態〕
第４の実施の形態として、排熱部であるファン５８を備えた給電ユニット５８を有する電子カセッテ４について説明する。
【００７８】
図９Ａは、第４の実施の形態に係る電子カセッテ４及び給電ユニット５５の概略斜視図であり、図９Ｂは、第４の実施の形態に係る電子カセッテ４及び給電ユニット５５における冷却機構を説明するための概略側面図である。また、図１０は、第４の実施の形態に係る電子カセッテ４の概略上面図を示す図である。
【００７９】
図９Ａ、図９Ｂ及び図１０に示すように、電子カセッテ４のバッテリ保持部１１の内側面１１Ｂ（給電ユニット５５に近接する側の側面）には、ヒートシンク５４が設けられている。
【００８０】
給電ユニット５５は、筐体５６を備えていて、筐体５６の内部にファン５８等が収納されている。また、筐体５６の側面５６Ａには、電子カセッテ４の接続部１２に接続される接続端子を有する接続部５７が設けられている。給電ユニット５５がバッテリ保持部１１に保持された状態において、給電ユニット５５の接続部５７が電子カセッテ４の接続部１２に接続されることで、各々の接続部１２、５７を介して給電ユニット５５から電子カセッテ４に対して電力が供給される。
【００８１】
給電ユニット５５が電子カセッテ４のカセッテ保持部１１に保持された状態において、ファン５８の送風によって給電ユニット５８の通気孔５８Ａの一部から流入した空気がヒートシンク５４を通過して再び給電ユニット５８の通気孔５８Ａの一部から流出することで、ヒートシンク５４が冷却され、ヒートシンク５４によって熱が吸収される。
【００８２】
第４の実施の形態によると、電力供給電源４４を備える代わりに、電力供給電源４４のスペースを有効に利用してファン５８を付加することで、給電ユニット５５（すなわち電子カセッテ４）の大型化を招くことなく、ヒートシンク５４が電子カセッテ４の放射線検出器１３の発熱体である電気回路が発する熱を吸収することができる。これにより、電子カセッテ４の筐体１０の内部の放熱を効率的に行うことができる。
【００８３】
なお、電子カセッテ４のバッテリ保持部１１にヒートシンク５４が設けられておらず、給電ユニット５５のファン５８により電子カセッテ４の筐体１０の内部を冷却する構成であっても良い。この場合には、ファン５８により送風された空気を外部に逃がす構造を設けることが望ましい。
【００８４】
〔第５の実施の形態〕
第５の実施の形態として、吸熱材であるサーモメモリ６４を備えた給電ユニット６１を有する電子カセッテ４について説明する。
【００８５】
図１１は、第５の実施の形態に係る電子カセッテ４及び給電ユニット６１の概略斜視図である。
【００８６】
図１１（図１０も参照）に示すように、電子カセッテ４のバッテリ保持部１１の内側面１１Ｂ（バッテリユニット５５に近接する側の側面）には、ヒートシンク５４が設けられている。
【００８７】
給電ユニット６１は、筐体６２を備えていて、筐体６２の内部にサーモメモリ６４等が収納されている。また、筐体６２の側面６２Ａには、電子カセッテ４の接続部１２に接続される接続端子を有する接続部６３が設けられている。給電ユニット６１がバッテリ保持部１１に保持された状態において、給電ユニット６１の接続部６３が電子カセッテ４の接続部１２に接続されることで、各々の接続部１２、６３を介して給電ユニット６１から電子カセッテ４に対して電力が供給される。
【００８８】
給電ユニット６１が電子カセッテ４のカセッテ保持部１１に保持された状態において、放射線検出器１３の電子回路により発せられた熱がヒートシンク５４により吸収されるとともに、サーモメモリ６４により更に吸収される。
【００８９】
第５の実施の形態によると、電力供給電源４４を備える代わりに、電力供給電源４４のスペースを有効に利用してサーモメモリ６４を付加することで、給電ユニット６１（すなわち電子カセッテ４）の大型化を招くことなく、ヒートシンク５４及びサーモメモリ６４が電子カセッテ４の発熱体である放射線検出器１３の電気回路が発する熱を吸収することができる。これにより、電子カセッテ４の筐体１０の内部の放熱を効果的に行うことができる。
【００９０】
〔第６の実施の形態〕
第６の実施の形態として、バッテリ保持部１１にヒートシンク６９が設けられるとともに、バッテリユニット７０に、電力供給電源４４に加えて、排熱部であるファン７４が設けられた電子カセッテ４の別例について説明する。
【００９１】
図１２は、第６の実施の形態に係る電子カセッテ４の概略斜視図である。図１３は、第６の実施の形態に係る電子カセッテ４の概略上面図を示す図である。
【００９２】
図１２及び図１３に示すように、電子カセッテ４の四角柱状のバッテリ保持部１１の両端の内側面１１Ｃ（バッテリユニット５５に近接する側の側面）には、ヒートシンク６９が設けられている。
【００９３】
バッテリユニット５５は、バッテリ保持部１１の内部形状と同形状の四角柱状の筐体７１を備えていて、筐体７１の内部の両端側にファン７４等が収納されている。た、筐体７１の内部の中央部には、複数のファン７４に囲まれるように電力供給電源７３が設けられている。また、筐体７１の両端の側面７１Ａには、電子カセッテ４の接続部１２に接続される接続端子を有する接続部７２が設けられている。さらに、バッテリユニット７０がバッテリ保持部１１に保持された状態において、バッテリユニット７０の接続部７２が電子カセッテ４の接続部１２に接続されることで、各々の接続部１２、７２を介してバッテリユニット７０から電子カセッテ４に対して電力が供給される。
【００９４】
この際、第４の実施の形態にて説明した冷却機構と同様の作用を有する機構により、バッテリユニット７０が電子カセッテ４のカセッテ保持部１１に保持された状態において、ファン７４から送風された空気でヒートシンク６９が冷却されることにより、発熱体である電子回路により発せられた熱が放熱される。
【００９５】
第６の実施の形態によると、バッテリユニット７０が内部に電力供給電源４４に加えてファン７４を備えることで、バッテリユニット７０（すなわち電子カセッテ４）の大型化を招くことなく、ヒートシンク６９が電子カセッテ４の発熱体である放射線検出器１３の電気回路が発する熱を吸収することができる。これにより、電子カセッテ４の筐体１０の内部の放熱を効果的に行うことができる。
【００９６】
なお、電子カセッテ４のバッテリ保持部１１にヒートシンク６９が設けられておらず、バッテリユニット７０のファン７４により電子カセッテ４の筐体１０の内部を冷却する構成であっても良い。この場合には、ファン７４により送風された空気を外部に逃がす構造を設けることが望ましい。
【００９７】
また、上記各実施の形態では、電子カセッテ４の発熱体として各種電気回路が搭載された基板を適用した場合について説明したが、本発明はこれに限定されるものではなく、電気回路そのものを発熱体として適用する形態としてもよい。なお、この場合の形態例としては、当該電気回路のなかで発熱量が多い回路部品（例えば、トランジスタ、アンプ等）の上面等を保持部に直接接触させる形態や、上記電気回路が半導体ＩＣとして構成されている場合の当該半導体ＩＣの上面等を保持部に直接接触させる形態等を例示することができる。
【００９８】
〔第７の実施の形態〕
第７の実施の形態として、筐体１０の裏面１０Ｃにバッテリ保持部１１Ｄが設けられ、バッテリユニット８０が筐体１０の裏面側に保持される電子カセッテ４について説明する。
【００９９】
図１４は、第７の実施の形態に係る電子カセッテ４及びバッテリユニット８０の概略斜視図である。
【０１００】
筐体１０はモノコック構造（望ましい材料としてはカーボン繊維の積層体）となっている。筐体１０の強度を確保するために、図１４に示すように、バッテリ保持部１１ＤはＸ線入射側の反対側（裏面１０Ｃ）の中央部にかかるように最小限の開口面積で凹状に配設されている。バッテリ保持部１１Ｄは、熱伝導性に優れた材料で形成された熱伝導部１１Ｅを備えていて、熱伝導部１１Ｅを介してバッテリユニット８０と電子カセッテ４の発熱体とが接触する。熱伝導部１１Ｅを形成する材料は、上述した熱伝導部１１Ａの場合と同様に、例えば、銅、金、銀、アルミニウム、マグネシウム合金等である。さらに、バッテリ保持部１１Ｄの内表面には、バッテリユニット８０を接続するための接続端子を有する接続部１２Ａが設けられている。
【０１０１】
バッテリユニット８０は、バッテリ保持部１１Ｄの内部形状と同形状の板状の筐体８１を備えていて、筐体８１の内部に電力供給電源８３等が収納されている。バッテリ保持部１１Ｄにはバッテリユニット８０を係止するための係止部１１Ｆが設けられていて、バッテリユニット８０はこの係止部１１Ｆに係止されることよりバッテリ保持部１１Ｄに保持される。また、筐体８１の側面８１Ａには、電子カセッテ４の接続部１２Ａに接続される接続端子を有する接続部８２が設けられている。さらに、バッテリユニット８０がバッテリ保持部１１に保持された状態において、バッテリユニット８０の接続部８２が電子カセッテ４の接続部１２Ａに接続されることで、各々の接続部１２Ａ、８２を介してバッテリユニット８０から電子カセッテ４に対して電力が供給される。
【０１０２】
第７の実施の形態に係る電子カセッテ４は、筐体１０の裏面１０Ｃに着脱可能にバッテリユニット７を保持するバッテリ保持部１１Ｄが設けられているが、当該バッテリ保持部１１Ｄの熱伝導部１１Ｅが、放射線検出器１３が有する電気回路（具体的には当該電気回路を搭載した信号処理基板２４等）と接触しており、これにより、バッテリユニット７と電気回路とをバッテリ保持部１１Ｄを介して熱結合させて電気回路からバッテリユニット７に熱を吸収させることで、電子カセッテ４の放熱機構を実現している。これにより、電子カセッテ４の内部の放熱を効果的に行うことができる。
【０１０３】
なお、第７の実施の形態に係るバッテリユニット８０において、筐体８１の内部にサーモメモリ、ファンまたはペルチェ素子を備えるようにしても良い。これにより、サーモメモリ、ファンまたはペルチェ素子が電子カセッテ４の発熱体である放射線検出器１３の電気回路を冷却することで、電子カセッテ４の内部の放熱を効果的に行うことができる。
【０１０４】
または、第７の実施の形態にて、電子カセッテ４のバッテリ保持部１１Ｄに、内部に電力供給電源８３を有するバッテリユニット８０が装着させる代わりに、電源ケーブル及び冷却部を有する給電ユニットが装着されるようにしても良い。冷却部は、上述したサーモメモリ、ファン、ペルチェ素子等である。これにより、給電ユニットが有する冷却部が電子カセッテ４の発熱体である放射線検出器１３の電気回路を冷却することで、電子カセッテ４の内部の放熱を効果的に行うことができる。
【０１０５】
あるいは、第７の実施の形態にて、電子カセッテ４のバッテリ保持部１１Ｄにヒートシンク等の吸熱材が設けられていても良い。これにより、電子カセッテ４が有する排熱材が電子カセッテ４の発熱体である放射線検出器１３の電気回路を冷却することで、電子カセッテ４の内部の放熱を効果的に行うことができる。
【０１０６】
〔第８の実施の形態〕
第８の実施の形態として、撮影を行う際、接続部１２を介して電子カセッテ４に電源ケーブルが接続されていて当該電源ケーブルから電力が供給されているか否かを判定して、当該判定結果に基づいて、当該電源ケーブルから電力が供給されている場合に連続撮影（動画撮影）を許可するように、連続撮影の許可／禁止を制御する連続撮影可否制御処理を行う電子カセッテ４について説明する。
【０１０７】
電子カセッテ４は、バッテリ保持部１１にバッテリユニットまたは給電ユニットのいずれかを装着することが可能であるが、撮影を行う際、静止画撮影を行った場合よりも連続撮影を行った場合の方が発熱量が大きくなる。よって、電子カセッテ４において、静止画撮影による発熱に対する放熱は十分されていて画質が劣化しないが、連続撮影による発熱に対する放熱は十分でなく画質が劣化する可能性がある。
【０１０８】
そこで、本実施の形態に係る電子カセッテ４は、バッテリユニットを備えている場合には、バッテリの発熱等により冷却が十分に行われない可能性があるため連続撮影を禁止し、電子カセッテが給電ユニットを備えている場合には、給電ユニットが内部に電力供給電源を備えておらず、電子カセッテ４の冷却が十分に行われているため連続撮影を許可する連続撮影可否制御処理を実行する。
【０１０９】
以下、図１５を参照して、当該連続撮影可否制御処理を実行する際の電子カセッテ４の作用を説明する。なお、図１５は、所定時間毎に当該電子カセッテ４のＣＰＵ３３Ａにより実行される連続撮影可否制御処理プログラムの処理の流れを示すフローチャートであり、当該プログラムは記録媒体である記憶部３３Ｃの所定領域に予め記憶されている。
【０１１０】
まず、ステップＳ１０１において、ＣＰＵ３３Ａは、電子カセッテ４に電源ケーブルが接続されているか否かを判定する。検出部３５は、所定時間毎に電源ケーブルを有する給電ユニットが接続されているか否かを示す信号を可否判定部３６に送信する。ＣＰＵ３３Ａは、電源ケーブルを有する給電ユニットが接続されたか否かを判定するように可否判定部３６を制御する。あるいは、電子カセッテ４の接続部１２に電源ケーブルを有する給電ユニットが接続されている場合に、検出部３５が電源ケーブルを有する給電ユニットが接続されている旨を示す信号を送信するようにしても良い。
【０１１１】
ステップＳ１０１において電源ケーブルが接続されたと判定された場合は、ステップＳ１０３において、ＣＰＵ３３Ａは、動画撮影を許可する。一方で、ステップＳ１０５において電源ケーブルが接続されたと判定されていない場合は、ステップＳ１０５において、ＣＰＵ３３Ａは、動画撮影を禁止する。
【０１１２】
なお、本実施の形態においては、電子カセッテ４にバッテリユニットが装着されている場合には連続撮影を禁止する例について説明したが、バッテリユニットが高精度な冷却機能を備えている場合には、給電ユニットが装着された場合と同様に連続撮影を許可するようにしても良い。
【０１１３】
第８の実施の形態によると、バッテリ保持部１１にバッテリユニット７が接続されたこと及び離脱されたことを検出し、接続されたことが検出された場合に、連続撮影を許可し、離脱されたことが検出された場合に、連続撮影を禁止する。これにより、電源ケーブルが接続されていない場合に連続撮影を禁止して、装置の大型化を招くことなく内部の熱を放出することができる、という効果を奏する。
【０１１４】
〔第９の実施の形態〕
第９の実施の形態として、上述した第１、第２及び第７の実施の形態のいずれかに係る放射線画像撮影システム１において、バッテリユニット７、４１、８０の充電及び冷却を行う充電装置９０を更に備えた画像撮影システム１Ａについて説明する。
【０１１５】
上述した第１、第２及び第７の実施の形態のいずれかに係る電子カセッテ４は、バッテリユニット７、４１、８０が装着されることにより電力供給を受けつつ冷却が行われる。一方、バッテリユニット７、４１、８０は、連続使用される場合に、電子カセッテ４に対して電力を供給した後に再び充電される必要があり、また、電子カセッテ４を冷却した後に自身が冷却される必要がある。そのため、放射線画像撮影システム１Ａは、バッテリユニット７、４１、８０に対して充電及び冷却を行う充電装置９０を備えている。
【０１１６】
図１６は、第９の実施の形態に係る放射線画像撮影システム１Ａの概略斜視図である。
【０１１７】
図１６に示すように、第９の実施の形態に係る放射線画像撮影システム１Ａは、電子カセッテ４０に対して電力の供給を行うバッテリユニット７、４１、８０に対して充電を行う充電装置９０を備えている。充電装置９０は、電灯線９１を介してコンソール２に接続されている。コンソール２は、充電装置９０が電灯線９１を介して接続されている場合、充電装置９０と電灯線通信を行う。電灯線通信は、電力線を通信回線として行われる通信である。
【０１１８】
また、充電装置９０は、バッテリユニット７、４１、８０が内部に装着される凹状の収納部９２を備える。収納部９２は図示しない接続部を有し、当該接続部に、収納部９２の内部に収納されたバッテリユニット７、４１、８０の接続部９、４３、８２が接続されると、充電装置９０からバッテリユニット７、４１、８０に対して電力を供給してバッテリユニット７、４１、８０の充電を行う。
【０１１９】
さらに、充電装置９０は、収納部９２の内部において、収納部９２の内部に収納されたバッテリユニット７、４１、８０が装着された際にバッテリユニット７、４１、８０に近接する位置に、図示しない冷却部が設けられている。当該冷却部は、例えば放熱フィンである。または、充電装置９０は電源容量に制限がないのでペルチェ素子を冷却部として用いても良い。あるいは、収納部９２に液体が充填されていてこの液体で冷却しても良い。さらには、特開２００９−２９０１３８号公報に記載されているように、噴霧状のアルコールを用いて冷却しても良い。このように、バッテリユニット７、４１、８０は、収納部９２の内部に収納された際に、当該冷却部によって冷却される。
【０１２０】
その上、充電装置９０は、収納部９２に収納されたバッテリユニット７、４１、８０の残電池容量及び温度を報知するためのインジケータ９３を備えている。インジケータ９３は、収納部９２に収納されたバッテリユニット７、４１、８０の残電池容量を報知するための残電池容量表示部９３Ａ、温度を報知するための温度表示部９３Ｂから構成される。残電池容量表示部９３Ａは、複数（例えば６つ）のＬＥＤから構成され、点灯させるＬＥＤの個数で段階的に残電池容量を報知する。温度表示部９３Ｂも同様に、複数（例えば６つ）のＬＥＤから構成され、点灯させるＬＥＤの個数で段階的に温度を報知する。
【０１２１】
コンソールは２、上述したように、充電装置９０と電灯線通信を行うことによって、充電装置９０から各バッテリユニット７、４１、８０の充電状況（残電力容量の状況）を示す情報、及び冷却状況（温度の状況）を示す情報を取得し、表示装置に表示させることで、ユーザに対する報知を行う。この際、電子カセッテ４に装着可能なバッテリユニットの有無、各バッテリユニット７、４１、８０の装着可能となる時刻の目安等も併せて報知されると良い。
【０１２２】
なお、コンソール２と充電装置９０とが行う通信の通信方式は電灯線通信に限定されず、他の方式の有線通信または無線通信であっても良い。
【０１２３】
第９の実施の形態によると、冷却部を備えた充電装置９０にバッテリユニット７、４１、８０が装着された状態で、充電を行いつつ当該冷却部により冷却を行う。これにより、充電装置９０とバッテリユニット７、４１、８０とを熱結合させてバッテリユニット７、４１、８０を放熱させる。これにより、冷却されたバッテリユニット７、４１、８０を電子カセッテ４に装着することで、電子カセッテ４の内部の放熱を効果的に行うことができる。
【符号の説明】
【０１２４】
１、１Ａ…放射線画像撮影システム，２…コンソール，３…放射線発生装置，４…電子カセッテ，５…通信ケーブル，６…寝台，６Ａ…カセッテ保持部，７、４１…バッテリユニット，７Ａ…筐体，７Ｂ…筐体の側面，８…電力供給電源，９…接続部，１０…筐体，１０Ａ…熱伝導部，１０Ｂ…筐体の側面，１０Ｃ…筐体の裏面，１１、１１Ｄ…バッテリ保持部，１１Ａ、１１Ｅ…熱伝導部，１１Ｂ、１１Ｃ…バッテリ保持部の側面，１１Ｆ…係止部，１２、１２Ａ…接続部，１３…放射線検出器，１３Ａ…基板，１４…センサ部，１５…ＴＦＴスイッチ，１６…画素，１７…走査配線，１８…信号配線，１９…シンチレータ，２０…遮蔽体，２１、２２、２５、２７…コネクタ，２３…走査制御基板，２３Ａ…スキャン信号制御回路，２４…信号処理基板，２４Ａ…信号検出回路，２６、２８…フレキシブルケーブル，３０…ゲート線ドライバ，３１…信号処理部，３２…画像メモリ，３３…カセッテ制御部，３３Ａ…ＣＰＵ，３３Ｂ…メモリ，３３Ｃ…記憶部，３４…無線通信部，３５…検出部，３６…可否決定部，４０…基板，４０Ａ…基板の側面，４１…バッテリユニット，４２…筐体，４２Ａ…筐体の側面，４３…接続部，４４…電力供給電源，４５…サーモメモリ，４７…給電ユニット，４８…筐体，４８Ａ…筐体の側面，４９…接続部，５０…サーモメモリ，５１…電源ケーブル，５１Ａ…電源ケーブルのプラグ，５５…給電ユニット，５６…筐体，５６Ａ…筐体の側面，５７…接続部，５８…ファン，６１…給電ユニット，６２…筐体，６２Ａ…筐体の側面，６３…接続部，６４…サーモメモリ，６９…ヒートシンク，７０…バッテリユニット，７１…筐体，７１Ｂ…筐体の側面，７２…接続部，７３…電力供給電源，７４…ファン，８０…バッテリユニット，８１…筐体，８１Ａ…筐体の側面，８２…接続部，８３…電力供給電源，９０…充電装置，９１…電灯線，９２…収納部，９３…表示部，９３Ａ…残電池容量表示部，９３Ｂ…温度表示部，Ｈ…被写体，Ｘ…放射線。
【図１】
2013013513.tif 000003
【図２】
2013013513.tif 000004
【図３】
2013013513.tif 000005
【図４】
2013013513.tif 000006
【図５】
2013013513.tif 000007
【図６】
2013013513.tif 000008
【図７】
2013013513.tif 000009
【図８】
2013013513.tif 000010
【図９】
2013013513.tif 000011
【図１０】
2013013513.tif 000012
【図１１】
2013013513.tif 000013
【図１２】
2013013513.tif 000014
【図１３】
2013013513.tif 000015
【図１４】
2013013513.tif 000016
【図１５】
2013013513.tif 000017
【図１６】
2013013513.tif 000018